(57)【要約】【課題】２画面分の表示パネルを有する表示装置において、一方の表示パネルのみで表示を行う場合の消費電力を低減することができる表示装置を提供すること。【解決手段】第１の表示パネル１０と第２の表示パネル２０とを備える表示装置において、第２の表示パネル２０とソースドライバ４０との間にソースドライバ４０と第２の表示パネル２０の信号ラインのそれぞれとの間を断続する断続スイッチ５０を設ける。【選択図】図１
2008077008.tif 000002
【特許請求の範囲】
【請求項１】
複数の第１の走査ライン及び複数の第１の信号ラインの各交点近傍に複数の表示画素がマトリクス状に配列された第１の表示パネルを有する第１の表示手段と、
複数の第２の走査ライン及び複数の第２の信号ラインの各交点近傍に複数の表示画素がマトリクス状に配列された第２の表示パネルを有する第２の表示手段と、
前記複数の第１の走査ラインと前記複数の第２の走査ラインとに走査信号を順次出力して対応する前記表示画素を順次選択状態に設定する走査側駆動手段と、
前記複数の第１の信号ラインと前記複数の第２の信号ラインとに表示データに対応する画像信号を出力して、前記選択状態に設定された表示画素に該画像信号を印加する単一の信号側駆動手段と、
前記複数の第１の信号ラインと前記複数の第２の信号ラインの各々の間に設けられ、前記各第１の信号ラインと前記各第２の信号ラインとの間を断続する複数の第１の断続手段と、
を具備することを特徴とする表示装置。
【請求項２】
前記信号側駆動手段は前記第１の表示パネルの前記複数の第１の信号ラインの延在方向に直交する一辺側に設けられていることを特徴とする請求項１に記載の表示装置。
【請求項３】
前記第２の表示手段を非表示状態とする際に、前記第１の断続手段により前記各第１の信号ラインと前記各第２の信号ラインとを切断した状態とするとともに、前記走査側駆動手段から前記第２の走査ラインへの前記走査信号の出力を停止するように制御されることを特徴とする請求項２に記載の表示装置。
【請求項４】
前記走査側駆動手段は単一に構成されて、前記第１の表示パネルの前記複数の第１の信号ラインの延在方向に直交する一辺側に設けられ、前記走査側駆動手段と前記複数の第２の走査ラインのそれぞれとの間を断続する複数の第２の断続手段を更に具備することを特徴とする請求項２に記載の表示装置。
【請求項５】
前記信号側駆動手段は前記第２の表示パネルの前記複数の第２の信号ラインの延在方向に直交する一辺側に設けられていることを特徴とする請求項１に記載の表示装置。
【請求項６】
前記第１の表示手段を非表示状態とする際に、前記第１の断続手段により前記各第１の信号ラインと前記各第２の信号ラインとを切断した状態とするとともに、前記走査側駆動手段から前記第１の走査ラインへの前記走査信号の出力を停止するように制御されることを特徴とする請求項５に記載の表示装置。
【請求項７】
前記走査側駆動手段は単一に構成されて、前記第２の表示パネルの前記複数の第２の信号ラインの延在方向に直交する一辺側に設けられ、前記走査側駆動手段と前記第１の走査ラインのそれぞれとの間を断続する複数の第２の断続手段を更に具備することを特徴とする請求項５に記載の表示装置。
【請求項８】
前記第２の表示手段は、前記第１の表示手段よりも使用頻度が高い表示手段であることを特徴とする請求項１に記載の表示装置。
【請求項９】
前記第１の表示手段は携帯電話機の主画像側表示パネルであり、前記第２の表示手段は、携帯電話機の副画像側表示パネルであることを特徴とする請求項１に記載の表示装置。
【請求項１０】
前記第２の走査ラインの数は前記第１の走査ラインの数よりも少ないことを特徴とする請求項１に記載の表示装置。
【発明の詳細な説明】
【技術分野】
【０００１】
本発明は、複数の表示パネルを共通の表示駆動装置で駆動する表示装置に関する。
【背景技術】
【０００２】
携帯電話機等に用いられる表示装置では、前面側と背面側の２画面分の表示パネル（液晶パネル）を備えているものが多くなってきている。そして例えば、携帯電話機においては、前面側の表示パネルを各種通信情報や待ち受け画面等を表示するためのメインの表示パネルとして用い、背面側の表示パネルを時刻等の簡単な情報を表示するためのサブの表示パネルとして用いている。これにより例えば折りたたみ式の携帯電話機であれば、折りたたみ状態でメイン側の表示パネルを見られないような場合であってもサブ側の表示パネルで時刻等の簡易な情報の確認等を行うことができる。
【０００３】
ここで、２画面分の表示パネルを持つ表示装置では、２画面分の表示パネルのそれぞれを別個の表示駆動装置（ドライバ）で駆動することもできるが、例えば特許文献１等のように２画面分の表示パネルを共通の表示駆動装置で駆動可能とした表示装置も提案されている。特許文献１においては、２つの表示パネルの信号ラインを共通とし、２画面分の表示パネルを１画面分の表示パネルと見なして駆動を行う。例えば、メイン側とサブ側の両方で表示を行う場合には、サブ側の表示パネルからメイン側の表示パネルまで各表示パネルの走査ラインに順次走査信号を印加して両表示パネルの表示画素を順次選択状態とし、選択状態となった表示画素に画像信号を入力して表示を行う。これに対し、サブ側の表示パネルのみで表示を行う場合には、サブ側の表示パネルからメイン側の表示パネルまで各表示パネルの走査ラインに順次走査信号を印加して両表示パネルの表示画素を順次選択状態とするが、メイン側の水平走査期間においては黒レベルに相当する画像信号を入力することでメイン側の表示パネルを非表示状態（黒表示状態）としている。
【特許文献１】特開２００４−１６３７９０号公報
【発明の開示】
【発明が解決しようとする課題】
【０００４】
ここで、特許文献１のような従来の表示装置においては、サブ側の表示パネルのみで表示を行う場合であっても、メイン側の表示パネルに対しては、非表示状態（黒表示状態）とするための画像信号を入力するとともに各走査ラインに走査信号を順次印加する必要があるため、その分の電力が必要となる。
【０００５】
本発明は、上記の事情に鑑みてなされたもので、２画面分の表示パネルを有する表示装置において、一方の表示パネルのみで表示を行う場合の消費電力を低減することができる表示装置を提供することを目的とする。
【課題を解決するための手段】
【０００６】
上記の目的を達成するために、本発明の第１の態様による表示装置は、複数の第１の走査ライン及び複数の第１の信号ラインの各交点近傍に複数の表示画素がマトリクス状に配列された第１の表示パネルを有する第１の表示手段と、複数の第２の走査ライン及び複数の第２の信号ラインの各交点近傍に複数の表示画素がマトリクス状に配列された第２の表示パネルを有する第２の表示手段と、前記複数の第１の走査ラインと前記複数の第２の走査ラインとに走査信号を順次出力して対応する前記表示画素を順次選択状態に設定する走査側駆動手段と、前記複数の第１の信号ラインと前記複数の第２の信号ラインとに表示データに対応する画像信号を出力して、前記選択状態に設定された表示画素に該画像信号を印加する単一の信号側駆動手段と、前記複数の第１の信号ラインと前記複数の第２の信号ラインの各々の間に設けられ、前記各第１の信号ラインと前記各第２の信号ラインとの間を断続する複数の第１の断続手段とを具備することを特徴とする。
【発明の効果】
【０００７】
本発明によれば、第１の断続手段によって信号側駆動手段と第２の信号ラインとの間を断続することにより、第１の表示手段のみに画像信号を出力して表示駆動することが可能である。したがって、第２の表示手段を駆動するための電力が必要なく、消費電力を低減することが可能である。
【発明を実施するための最良の形態】
【０００８】
以下、図面を参照して本発明の実施形態を説明する。  
［第１の実施形態］
図１は、本発明の第１の実施形態に係る表示装置の構成を示す図である。図１に示すように、本表示装置は、第１の表示パネル１０と第２の表示パネル２０の２画面からなる表示パネルを備えている。そして、これら２画面分の表示パネルは共通の表示駆動装置（ゲートドライバ３０及びソースドライバ４０）で駆動される。
【０００９】
第１の表示パネル１０と第２の表示パネル２０とはそれぞれ、行方向に配設された複数の走査ラインと、列方向に配設された複数の信号ラインとを備え、走査ラインと信号ラインとの各交点近傍に表示画素が設けられて構成されている。さらに、第１の実施形態においては、第１の表示パネル１０の信号ラインと第２の表示パネルの信号ラインとの間に、信号ライン毎に断続スイッチ５０が設けられている。
【００１０】
第１の表示手段としての第１の表示パネル１０はＬ１本（例えば３２０本とする）の走査ラインとＭ１本の信号ラインとを有している。そして、これら走査ラインと信号ラインとの交点近傍にＴＦＴ及び液晶容量等からなる表示画素が設けられている。液晶容量は画素電極と対向電極との間に液晶が充填されて構成されている。そして、画素電極には信号ラインからの画像信号が入力され、対向電極には共通信号ＶＣＯＭ１が入力される。
【００１１】
一方、第２の表示手段としての第２の表示パネル２０はＬ２本（Ｌ１＜Ｌ２である。例えばＬ２を９６本とする）の走査ラインと第１の表示パネルと共通の信号ラインを含むＭ２本の信号ラインとを有している。表示画素の基本的な構成は第１の表示パネル１０と同様であるが、各表示画素の対向電極には、第１の表示パネル１０とは別の共通信号ＶＣＯＭ２が入力される。
【００１２】
ゲートドライバ３０は、第１の表示パネル１０及び第２の表示パネル２０の各走査ラインに接続される。そして、ゲートドライバ３０は、表示画素の各ＴＦＴをオンするための走査信号を、走査ラインＧ１から走査ラインＧ４１６まで順次供給して、それぞれの走査ラインに接続されたＴＦＴを順次選択状態（オン状態）とする。
【００１３】
ソースドライバ４０は第１の表示パネル１０及び第２の表示パネル２０の各信号ラインに接続される。そして、ソースドライバ４０は、ＲＧＢの各色の表示データを１行単位で取り込み、この取り込んだ表示データに対応する階調電圧を選択し、この階調電圧を画像信号として対応する信号ラインに供給する。
【００１４】
第１の断続手段としての断続スイッチ５０は、例えばゲートドライバ３０から供給されるスイッチ制御信号を受けて第２の表示パネル２０の各信号ラインとソースドライバ４０との間を断続する。なお、スイッチ制御信号はゲートドライバ３０から出力する態様に限られず、例えば図示しないタイミングジェネレータ等の制御信号発生回路から出力するような構成であっても良い。
【００１５】
以下、図１に示す第１の実施形態の表示装置の動作について説明する。図２は、第１の実施形態に係る表示装置の動作について示すタイミングチャートである。ここで、本表示装置は、第１の表示パネル１０と第２の表示パネル２０の２画面で画像表示を行うか又は何れか一方の画面のみで画像表示を行うかを選択することが可能である。図２の例では、１フレーム目においては第１の表示パネル１０と第２の表示パネル２０の２画面で画像表示を行い、２フレーム目においては第１の表示パネル１０の１画面のみで画像表示を行う例について説明する。なお、第２の表示パネル２０の１画面のみで表示を行う場合は、従来の手法と同一であるので後で簡単に説明する。
【００１６】
図示しないタイミングコントローラからは、所定周波数（図２の例では６０Ｈｚ）でフレーム出力開始信号（垂直同期信号）が出力される。このフレーム出力開始信号を受けて１フレーム分の表示が開始される。まず、１フレーム目では、第１の表示パネル１０と第２の表示パネル２０の両方で表示が行われるように選択されているので、ゲートドライバ３０から断続スイッチ５０にＯＮレベルのスイッチ制御信号が出力される。これにより、断続スイッチ５０はオン状態となり、第２の表示パネル２０の各信号ラインと第１の表示パネル１０（即ちソースドライバ４０）との間が接続状態となる。
【００１７】
続いて、ゲートドライバ３０から第２の表示パネル２０の各走査ラインに走査信号が順次出力される。これにより、第２の表示パネル２０の各ＴＦＴが順次選択状態に設定される。また、走査信号の出力と同期してソースドライバ４０から、表示データが示す階調レベルに対応した画像信号（階調電圧）が第２の表示パネル２０の各信号ライン（一部が第１の表示パネル１０と共通である）に順次出力される。これにより、選択状態に設定されたＴＦＴを介して画像信号が表示画素の画素電極に供給されて液晶に画像信号と共通信号ＶＣＯＭ２との電位差に相当する電圧が発生する。これにより、液晶の配向状態が変化して第２の表示パネル２０における画像表示が行われる。なお、液晶に印加された電圧は、走査信号の立下りに応じて表示画素の補助容量に保持される。この補助容量の電圧は次のフレームにおける表示が行われるまで保持される。
【００１８】
ここで、液晶には直流電圧を長時間印加すると劣化するという性質があるので、表示装置を駆動する際には、液晶に印加される電圧の極性を所定期間毎（例えば走査信号が出力される１水平走査期間毎）に反転させる（即ち液晶を交流で駆動する）ようにする必要がある。このための手法としては、例えば１水平期間毎にソースドライバ４０からの画像信号の極性と共通信号ＶＣＯＭ２の極性とを反転させる手法がある。この場合、例えば前の水平走査期間における画像信号の電位が共通信号ＶＣＯＭ２の電位よりも高い場合には、次の水平走査期間における画像信号の電位が共通信号ＶＣＯＭ２の電位よりも低くなるように電位レベルの反転を行う。
【００１９】
走査信号がＧ９６まで出力され、第２の表示パネル２０の走査が終了すると、続く第１の表示パネル１０の表示を開始するまでの非表示期間ＭＰ（ミドルポーチ）の経過後、ゲートドライバ３０から第１の表示パネル１０の各走査ラインに走査信号が順次出力される。これにより、第１の表示パネル１０の各ＴＦＴが順次選択状態となる。また、走査信号の出力と同期してソースドライバ４０から、表示データが示す階調レベルに対応した画像信号（階調電圧）が第１の表示パネル１０の各信号ラインに順次出力される。これにより、表示画素の液晶に画像信号と共通信号ＶＣＯＭ１との電位差に相当する電圧が発生して第１の表示パネル１０における画像表示が行われる。
【００２０】
走査信号がＧ４１６まで出力され、第１の表示パネル１０の走査が終了すると、続く２フレーム目の表示を開始するための非表示期間ＦＰ（フロントポーチ）、ＢＰ（バックポーチ）の経過後に、次のフレーム出力開始信号（垂直同期信号）が出力されて次のフレームの表示が開始される。
【００２１】
２フレーム目では、第１の表示パネル１０のみで表示が行われるように選択されているので、ゲートドライバ３０から断続スイッチ５０にＯＦＦレベルのスイッチ制御信号が出力される。これにより、断続スイッチ５０はオフ状態となり、第２の表示パネル２０の各信号ラインと第１の表示パネル１０（即ちソースドライバ４０）との間が切断状態となる。また、断続スイッチ５０がオフ状態となることにより、この部分が開放されるので第２の表示パネル２０の画素電極の電位と対向電極の電位とが等しくなるように共通信号ＶＣＯＭ２がハイインピーダンス（開放）レベルＨｚ又はグランド（接地）レベル（ＧＮＤ）に設定される。
【００２２】
続いて、ゲートドライバ３０から第１の表示パネル１０の各走査ラインに走査信号が順次出力されるが、第２の表示パネル２０の各走査ラインへは走査信号が印加されない。即ち、第２の表示パネル２０は切断状態となっているので、第２の表示パネル２０に走査信号を（オフレベルの走査信号も）出力する必要がない。
【００２３】
さらに、走査信号の出力と同期してソースドライバ４０から、表示データが示す階調レベルに対応した画像信号（階調電圧）が第１の表示パネル１０の各信号ラインに順次出力される。これにより、選択状態に設定されたＴＦＴを介して画像信号が表示画素の画素電極に供給されて第１の表示パネル１０における画像表示が行われる。
【００２４】
ここで、２フレーム目においては、断続スイッチ５０がオフ状態であるので、第２の表示パネル２０の各画素電極にはソースドライバ４０からの画像信号が供給されない。さらに、共通信号ＶＣＯＭ２は画素電極の電位と等しくなるように設定されるので、第２の表示パネル２０の液晶には直流電圧が印加されない。したがって、第２の表示パネル２０については上述したような液晶の交流駆動を行う必要もない。
【００２５】
次に、第２の表示パネル２０の１画面のみで表示を行う場合について簡単に説明する。第２の表示パネル２０の１画面のみで表示を行う場合には、基本的には２画面表示を行う場合と同様の駆動を行う。つまり、断続スイッチ５０をオン状態とし、走査信号をゲートドライバ３０から第１の表示パネル１０及び第２の表示パネル２０の各走査ラインに順次出力するようにする。ただし、第２の表示パネル２０のみの表示を行う場合には、２画面表示の場合と異なり、第１の表示パネル１０の水平走査期間ではソースドライバ４０から、各表示画素に黒表示を行うための画像信号を出力するようにする。これにより、見かけ上は第１の表示パネル１０は表示が行われていないように見える。ただし、この場合は、上述した液晶の劣化の問題があるため、ソースドライバ４０から出力する画像信号の極性と共通信号ＶＣＯＭ１の極性（電位レベル）は所定期間毎に反転させる必要がある。
【００２６】
以上説明したように、第１の実施形態によれば、第１の表示パネル１０と第２の表示パネル２０の２画面を有する表示装置を駆動する際に、第１の表示パネル１０の１画面のみで表示を行う場合には、断続スイッチ５０をオフ状態とすることにより、第２の表示パネル２０の液晶への電圧印加を停止させることができて、第２の表示パネル２０の各走査ラインへの走査信号の印加を停止させることができる。つまり、図２に示すように、２画面表示を行う場合の１フレーム内のライン数は第１の表示パネル１０と第２の表示パネル２０の走査ライン数を合計した４１６であるのに対し、第１の表示パネル１０のみの１画面表示を行う場合の１フレーム内のライン数は第１の表示パネル１０の走査ライン数の３２０である。このように、第２の表示パネル２０の各走査ラインへの走査信号の印加がない分だけ、走査信号の印加に係わる消費電力を削減することができる。更に、第２の表示パネル２０の対向電極への共通信号ＶＣＯＭ２の印加が無くなることにより、水平走査期間毎に極性反転される共通信号ＶＣＯＭ２の印加に係わる消費電力を削減することができる。
【００２７】
［第２の実施形態］
次に、本発明の第２の実施形態について説明する。本発明の第２の実施形態は、携帯電話機等の表示装置に特に有効な例である。携帯電話機等における表示装置では、２画面の表示パネルを有し、一方の表示パネルを主たる画像を表示するためのメインの表示パネルとして用い、もう一方の表示パネルを時刻等の簡単な情報を表示するためのサブの表示パネルとして用いている。このような使用法の場合、サブの側の表示パネルのほうが、使用頻度が高いと考えられるので、サブの側の表示パネルのみで表示を行う場合の消費電力を低減できることが望ましい。
【００２８】
図３は、本発明の第２の実施形態に係る表示装置の構成を示す図である。図３に示すように、本表示装置は、図１に対し、第２の表示パネル２０の側に表示駆動装置（ゲートドライバ３０及びソースドライバ４０）が設けられている点が異なっている。なお、以下に説明する第２の実施形態の表示装置を携帯電話機に適用する場合には、第１の表示パネル１０をメイン側の表示パネルとして用い、第２の表示パネル２０をサブ側の表示パネルとして用いる。なお、第２の実施形態においては第１の実施形態と異なり、画面の走査方向が第１の表示パネル１０から第２の表示パネル２０に向かう方向となる。
【００２９】
以下、図３に示す第２の実施形態の表示装置の動作について説明する。図４は、第２の実施形態に係る表示装置の動作について示すタイミングチャートである。ここで、図４の例では、１フレーム目と２フレーム目で第１の表示パネル１０と第２の表示パネル２０の２画面での画像表示を行い、３フレーム目と４フレーム目で第２の表示パネル２０の１画面のみで画像表示を行う例について説明する。なお、第１の表示パネル１０の１画面のみで表示を行う場合は、第１の実施形態で説明した第２の表示パネル２０の１画面のみで表示を行う場合と同様に従来の手法を用いる。
【００３０】
図示しないタイミングコントローラからは、所定周波数（図４の例では６０Ｈｚ）でフレーム出力開始信号（垂直同期信号）が出力される。このフレーム出力開始信号を受けて１フレーム分の表示が開始される。まず、１フレーム目では、第１の表示パネル１０と第２の表示パネル２０の両方で表示が行われるように選択されているので、ゲートドライバ３０から断続スイッチ５０にＯＮレベルのスイッチ制御信号が出力される。これにより、断続スイッチ５０はオン状態となり、第１の表示パネル１０の各信号ラインと第２の表示パネル２０（即ちソースドライバ４０）との間が接続状態となる。
【００３１】
続いて、ゲートドライバ３０から第１の表示パネル１０の各走査ラインに走査信号が順次出力される。これにより、第１の表示パネル１０の各ＴＦＴが順次選択状態に設定される。また、走査信号の出力と同期してソースドライバ４０から、表示データが示す階調レベルに対応した画像信号（階調電圧）が第１の表示パネル１０の各信号ライン（一部が第２の表示パネル２０と共通である）に順次出力される。これにより、選択状態に設定されたＴＦＴを介して画像信号が表示画素の画素電極に供給されて液晶に画像信号と共通信号ＶＣＯＭ１との電位差に相当する電圧が発生して第１の表示パネル１０における画像表示が行われる。
【００３２】
走査信号がＧ３２０まで出力され、第１の表示パネル１０の走査が終了すると、続く第２の表示パネル２０の表示を開始するための非表示期間ＭＰ（ミドルポーチ）の経過後、ゲートドライバ３０から第２の表示パネル２０の各走査ラインに走査信号が順次出力される。これにより、第２の表示パネル２０の各ＴＦＴが順次選択状態となる。また、走査信号の出力と同期してソースドライバ４０から、表示データが示す階調レベルに対応した画像信号（階調電圧）が第２の表示パネル２０の各信号ラインに順次出力される。これにより、表示画素の液晶に画像信号と共通信号ＶＣＯＭ２との電位差に相当する電圧が発生して第２の表示パネル２０における画像表示が行われる。
【００３３】
走査信号がＧ４１６まで出力され、第２の表示パネル２０の走査が終了すると、続くフレームの表示を開始するための非表示期間ＦＰ（フロントポーチ）、ＢＰ（バックポーチ）の経過後に、次のフレーム出力開始信号（垂直同期信号）が出力されて次のフレームの表示が開始される。２フレーム目も同様にして画像表示が行われる。
【００３４】
３フレーム目では、第２の表示パネル２０のみで表示が行われるように選択されているので、ゲートドライバ３０から断続スイッチ５０にＯＦＦレベルのスイッチ制御信号が出力される。これにより、断続スイッチ５０はオフ状態となり、第１の表示パネル１０の各信号ラインと第２の表示パネル２０（即ちソースドライバ４０）との間が切断状態となる。また、断続スイッチ５０がオフ状態となることにより、この部分が開放されるので、第１の表示パネル１０の画素電極の電位と対向電極の電位とが等しくなるように共通信号ＶＣＯＭ１がハイインピーダンス（開放）レベルＨｚ又はグランド（接地）レベル（ＧＮＤ）に設定される。
【００３５】
続いて、ゲートドライバ３０から第２の表示パネル２０の各走査ラインに走査信号が順次出力されるが、第１の表示パネル１０の各走査ラインへは走査信号が印加されない。即ち、第１の表示パネル１０は切断状態となっているので、第１の表示パネル１０に走査信号を（オフレベルの走査信号も）出力する必要がない。
【００３６】
さらに、走査信号の出力と同期してソースドライバ４０から、表示データが示す階調レベルに対応した画像信号（階調電圧）が第２の表示パネル２０の各信号ラインに順次出力される。これにより、選択状態に設定されたＴＦＴを介して画像信号が表示画素の画素電極に供給されて第２の表示パネル２０における画像表示が行われる。なお、４フレーム目も同様の表示が行われる。
【００３７】
ここで、３フレーム目及び４フレーム目においては、断続スイッチ５０がオフ状態となっているので、第２の表示パネル２０の各画素電極にはソースドライバ４０からの画像信号が供給されない。さらに、共通信号ＶＣＯＭ２は画素電極の電位と等しくなるように設定されるので、第２の表示パネル２０の液晶には直流電圧が印加されない。したがって、第１の表示パネル１０については上述したような液晶の交流駆動を行う必要もない。
【００３８】
以上説明したように、第２の実施形態によれば、メイン側の表示パネルとサブ側の表示パネルのように、使用頻度が異なる２画面を有する表示装置を駆動する際に、使用頻度が高いほうのみの１画面で表示を行う場合の消費電力を低減することができる。つまり、図４に示すように、２画面表示を行う場合の１フレーム内のライン数は第１の表示パネル１０と第２の表示パネル２０の走査ライン数を合計したものであるのに対し、第２の表示パネル（サブ側の表示パネル）２０のみの１画面表示を行う場合の１フレーム内のライン数は第２の表示パネル２０の走査ライン数の９６である。このように、第１の表示パネル１０の各走査ラインへの走査信号の印加がない分だけ、走査信号の印加に係わる消費電力を削減することができる。更に、第１の表示パネル１０の対向電極への共通信号ＶＣＯＭ１の印加が無くなることにより、水平走査期間毎に極性反転される共通信号ＶＣＯＭ１の印加に係わる消費電力を削減することができる。
【００３９】
［第３の実施形態］
次に、本発明の第３の実施形態について説明する。上述した第１及び第２の実施形態においては、断続スイッチ５０を信号ラインにのみ設けているが、第３の実施形態においては図５に示すように走査ラインにも第２の断続手段としての断続スイッチ６０を設けるものである。なお、第３の実施形態の動作は、第２の実施形態と同様であるので説明を省略する。
【００４０】
以上説明したような第３の実施形態では、走査ラインに断続スイッチ６０を設けることにより、表示を行わない表示パネルへの走査信号の入力をゲートドライバ３０側で停止させる必要がなくなり、ゲートドライバ３０の構成を簡略化することが可能である。
【００４１】
以上実施形態に基づいて本発明を説明したが、本発明は上記した実施形態に限定されるものではなく、本発明の要旨の範囲内で種々の変形や応用が可能なことは勿論である。
【００４２】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００４３】
【図１】本発明の第１の実施形態に係る表示装置の構成を示す図である。
【図２】第１の実施形態に係る表示装置の動作について示すタイミングチャートである。
【図３】本発明の第２の実施形態に係る表示装置の構成を示す図である。
【図４】第２の実施形態に係る表示装置の動作について示すタイミングチャートである。
【図５】本発明の第３の実施形態に係る表示装置の構成を示す図である。
【符号の説明】
【００４４】
１０…第１の表示パネル、２０…第２の表示パネル、３０…ゲートドライバ、４０…ソースドライバ、５０，６０…断続スイッチ
【図１】
2008077008.tif 000003
【図２】
2008077008.tif 000004
【図３】
2008077008.tif 000005
【図４】
2008077008.tif 000006
【図５】
2008077008.tif 000007